(57)【要約】【課題】  立体そりは、斜面を真っ直ぐに滑り、スピードに対応できない不便さ、ただ座って乗って滑り、身体の運動や用具の操作が単純であり、躍動感や迫力に欠け、興味の継続性がないという不都合を解決すること。【解決手段】  立体そり本体のトップ部の両サイドに小型スキー板を組み込み、内側の操作機能部と連動し、小型スキー板への荷重、内エッジの立て具合とテールの開き出しの大きさを加減操作することで、片サイド制動、両サイド同時制動を有したもの。又、立体そり本体の底面に自由に置ける安定足場、たわみとサイドカーブを保有し、たわみとサイドカーブを融合化することで、立体そりへの荷重と両サイドの外側の外エッジを内エッジとする角づけをするものによって、立体そり全体が回転運動をすることにより、この課題を解決する。【選択図】    図１
2006346409.tif 000002
【特許請求の範囲】
【請求項１】
立体そり本体に両サイド同時制動機能を有するものを合体、あるいは、立体そり本体の底面に自由安定足場を設け、たわみとサイドカーブを融合することで、回転運動ができることを特徴とする回転要素を備えた立体そり。
【請求項２】
立体そり本体のトップ部をテール部に比べて横幅を狭くし、トップ部分の外側下部の両サイドに小型スキー板を組み込み、内側の操作機能部と連動した、立体そり本体に小型スキー板と操作機能部を合体させ、小型スキー板への荷重と内エッジを立てて、テール部は立体そり本体を挟んでプルーク、ハの字の形で外側に押し出すようにした構成で、小型スキー板への荷重、内エッジの立て具合とテールの開き出しの大きさを加減操作することによって、片サイド制動、及び、両サイド同時制動が可能で、立体そり全体が回転運動をすることを特徴とする請求項１記載の回転要素を備えた立体そり。
【請求項３】
立体そり本体の底面部において、立体そりの長い方の縦に、適度なフレックス、レスポンスがある全体のたわみを作り、たわみは両サイドとセンター部に設置することで、たわみ効果が適正になるようにして、底面部滑走面の抵抗力も小さくしたものと両サイドの下部には、適度なトーションがあるサイドエッジ・サイドカーブ、直線・曲線のものを両サイドの外側のみの外エッジだけに取り入れたものを作り、立体そり本体にたわみとサイドカーブを保有するようにし、底面部には足元を踏ん張って置けるようにする幾多の安定した足場を設けて、立体そり上に座る・立てるのどちらも使用可能にした構成で、立体そり底面にたわみとサイドカーブを融合化し、立体そりへの荷重と両サイドの外側の外エッジを内エッジとする角づけをすることによって、立体そり全体が回転運動をすることを特徴とする請求項１記載の回転要素を備えた立体そり。
【発明の詳細な説明】
【技術分野】
【０００１】  本発明は、スポーツ用具の立体そりに関するものであり、立体そり特有の形状、構造、機能に工夫を加えることによって、立体そりが回転運動するようにしたものである。
【背景技術】
【０００２】  従来、四角の形をした立体そりは、シャベルの底面と箱状を一緒にしたイメージであり、斜面のフォールラインを真っ直ぐに滑り降りる運動スタイルになっている。
【発明の開示】
【発明が解決しようとする課題】
【０００３】  しかし、従来のような斜面のフォールラインを真っ直ぐに滑り降りる立体そりでは、中・急斜面を滑走する場合に、スピードが出てしまい対応できない不便さがある。又、立体そりには、ただ座って乗っているだけで滑り降りることができるのが常識化になり、立体そり上での身体の運動や用具の操作性が単純であり皆無に等しく、躍動感や迫力に欠け、興味の継続性がないのが現状である。本発明は、これらの不都合を解決することを課題とする。
【課題を解決するための手段】
【０００４】  この課題を解決するための請求項１の発明は、立体そり本体に片サイド制動、及び、両サイド同時制動機能のものを合成し、一体化したものである。あるいは、立体そり本体の底面に自由に置ける安定足場、縦方向へのたわみを設け、側面下部にはサイドエッジ・サイドカーブを設け、たわみとサイドカーブを融合化したものである。これらを立体そり本体に組み込むことによって、回転運動ができることを特徴とする回転要素を備えた立体そり。【０００５】  又、請求項２の発明は、立体そり本体のトップ部をテール部に比べて横幅を狭くし、トップ部分の外側下部の両サイドに小型スキー板を組み込み、内側の操作機能部と連動したものを設け、小型スキー板への荷重と内エッジを立ててテール部を外側に押し出すようにして、両サイドの小型スキー板の外エッジは使用しないので不要とした状態で、立体そり本体を挟んでプルーク、ハの字の形を作る構成で、小型スキー板への荷重、内エッジの立て具合とテールの開き出しの大きさを加減操作し、又、加減操作の位置を下部か上部にするか、底面部の足元が踏ん張って置ける安定した足場を設けるかによって、立体そり上に座る・立てるのどちらも使用可能にして、立体そり本体には、すべり止めロープ・ベルトを装着し、滑走者の人体と結んでおくようにしたもので、エッジが雪面にくい込み、雪面抵抗である摩擦が増大され、スピードが遅くなり、ターンが発生し、片サイド制動、及び、両サイド同時制動が可能になり、立体そり全体が回転運動、あるいは制動要素を持つことを特徴とする、立体そり本体に小型スキー板と操作機能部を合体した立体そり。【０００６】  又、請求項３の発明は、立体そり本体の底面部において、立体そりの長い方の縦に全体のたわみを作り、たわみは両サイドとセンター部、又は、効果がある部分や両サイドだけに設置することで、たわみ効果が適正になるようにして、ターンをしやすくし、底面部滑走面の抵抗力も小さくして、適度なフレックス、レスポンスと両サイドの下部にはサイドエッジ・サイドカーブを直線・曲線のものを外側のみのエッジにしたものを作り、適度なトーションをそれぞれに保有するようにし、立体そり本体には、すべり止めロープ・ベルトを装着し、滑走者の人体と結んでおくようにする。又、底面部に足元を踏ん張って置けるようにする幾多の安定した足場の設置で、立体そり上に座る・立てるのどちらも使用可能にしたもので、立体そりへの荷重と両サイドの外側の外エッジを内エッジとする角づけをすることによって、エッジが雪面にくい込み、雪面抵抗である摩擦が増大され、スピードが遅くなり、ターンが発生し、立体そり全体が回転運動をすることを特徴とする、立体そり底面にたわみとサイドカーブを融合化した立体そり。
【発明の効果】
【０００７】  本発明により、立体そりに回転運動ができることから、緩斜面は勿論のこと、中・急斜面でもスピードコントロールしながら斜面を滑走することが可能になり、円滑な立体そり操作が得られる。【０００８】  連続的に全身、あるいは身体の一部を使って、立体そりを操作するので、快適な緊張感の中で滑走を楽しむことができ、興味に持続性ができる。【０００９】  立体そり上に座る・立てるのどちらも使用可能で活用が高く、利便性があり、躍動感、迫力に富んだ雪面上の醍醐味を満喫することができる。【００１０】  本発明の各立体そりにおいては、スキッディングターン、カービングターンが自由な形、パフォーマンスででき、初心者から上級者までの全階級を対象とした運動形態であるため、各自の技術技能レベルにあった利用法、学習が選択でき、奥深いマテリアルを提供することができる。【００１１】  足場を幾多も設けることで、斜面、雪面や雪質の自然状況、各自の筋力や技術の人的状態によって座ることを含む、自由な立ち方や身体の運動、移動ができ、対応能力、運動能力を向上させ、威力を発揮することができる。【００１２】  立体そりにすべり止めロープ・ベルトを装着し、滑走者の人体と結んでいるので、転倒、滑落の場合、人体から立体そりが離れないようにしているため、立体そりだけが暴走することがないように安全性についても気配りをしたものである。
【発明を実施するための最良の形態】
【００１３】  図１は、立体そりの概略立体外形図例１で、立体そり本体ＡＡのトップ部をテール部に比べて横幅を狭くし、トップ部分の外側下部の両サイドに小型スキー板ＢＡを組み込み、立体そり本体のボードを挟んだ小型スキー板連結用棒ＥＦ・ＥＢで内側の小型スキー板連動用ステップＣと連結し、内側の操作機能部である小型スキー板連動用ステップＣを含む、小型スキー板連動用ハンドルＤ、ハンドル用サポートＦ、巻き取り用ローラーＧ、ワイヤーＨと連動したものを設け、転倒、滑落時に立体そりの暴走を抑制するために、すべり止めロープ・ベルトＲを取り付け、プレーヤーとつないだ状態で滑走するようにしたものである。その他、持ち運びやすくするため、運搬用ベルトＳを装着する。【００１４】  図１は、小型スキー板への荷重と内エッジを立ててテール部を外側に押し出すようにし、立体そり本体を挟んでプルーク、ハの字の形を作る構成で、小型スキー板への荷重、内エッジの立て具合とテールの開き出しの大きさを加減操作することによって、エッジが雪面にくい込み、雪面抵抗である摩擦が増大され、スピードが遅くなり、ターンが発生し、片サイド制動、及び、両サイド同時制動が可能になり、立体そり全体への回転運動を生起させることになる。この場合、立体そりはスキッディングターンが可能である。【００１５】  図１は、加減操作の位置を下部は小型スキー板連動用ハンドルＤを短くし、小型スキー板連動用ハンドルＤと小型スキー板連動用ステップＣ間の距離が小さい場合か、上部は小型スキー板連動用ハンドルＤを長くし、小型スキー板連動用ハンドルＤと小型スキー板連動用ステップＣ間の距離を大きくした場合にするか、底面部の足元が踏ん張って置ける安定した足場を設けるかによって、立体そり上に座る・立てるのどちらも使用可能にしたものにすることができ、利用者に応じて各種サイズを設け、軽量化のものにする。【００１６】  図１は、立体そりの概略立体外形図例１であり、前記、【００１４】を満足すれば、この限りではない。【００１７】  図２は、立体そりの概略立体外形図例１の主要部拡大概略図で、小型スキー板Ｂ１、Ｂ２は図中の点線である小型スキー板連結用棒（ＥＦ、ＥＢ）を介して、小型スキー板連動用ステップＣ１、Ｃ２と連動しており、又、Ｃ１、Ｃ２は小型スキー板連動用ハンドルＤ１、Ｄ２ともワイヤーＨで、巻き取り用ローラーＧを介して、連動する構成になっている。まず、ＧにはＨのためを作って、常時はＤ１の位置にあるようにし、同時にＣ１、Ｂ１の位置も同様で連動されており、小型スキー板への荷重と内エッジを立ててテール部を外側に押し出す前で、制動が掛かってない状態である。次に、Ｄ２、Ｃ２、Ｂ２への移動位置は小型スキー板への荷重と内エッジを立ててテール部を外側に押し出した時で、制動を掛けた状態を示している。この時、ステップ移動用傾斜台１上のＣ２はＣ１に比べ上部になっており、Ｂ２が開き出すのに、上からの荷重が掛かりやすく、Ｂ２がより雪面抵抗を捕らえるようにしたものである。又、Ｂ１からＢ２への開き出しは、Ｃ１、Ｃ２の足によるもの、Ｄ１、Ｄ２の手によるものと、どちらの操作も可能にしたものである。立体そり内部にあるＥＦ、ＥＢ、Ｆ、Ｇ、Ｈは可動するので��部を覆う形のものにするのが安全上好ましい。【００１８】  図３は、立体そりの概略立体外形図例２で、立体そり本体ＡＢのトップ部をテール部に比べて横幅を狭くし、トップ部分の外側下部の両サイドに小型スキー板ＢＢを組み込み、小型スキー板加圧用金具Ｋを介して、小型スキー板連結用棒ＬＦ、ＬＢ、ワイヤー又はロープＭと立体そり本体ボード部のＪＦ・ＪＢ用サポートＮを通して、小型スキー板加圧用弾性金属棒ＪＦ、ＪＢの操作機能部と連動したものを設け、転倒、滑落時に立体そりの暴走を抑制するために、すべり止めロープ・ベルトＲを取り付け、プレーヤーとつないだ状態で滑走するようにしたものである。その他、持ち運びやすくするため、運搬用ベルトＳを装着する。【００１９】  図３は、小型スキー板への荷重と内エッジを立ててテール部を外側に押し出すようにし、立体そり本体を挟んでプルーク、ハの字の形を作る構成で、小型スキー板への荷重、内エッジの立て具合とテールの開き出しの大きさを加減操作することによって、エッジが雪面にくい込み、雪面抵抗である摩擦が増大され、スピードが遅くなり、ターンが発生し、片サイド制動、及び、両サイド同時制動が可能になり、立体そり全体への回転運動を生起させることになる。この場合、立体そりはスキッディングターンが可能である。【００２０】  図３は、加減操作の位置を下部か上部にするかは、小型スキー板加圧用弾性金属棒ＪＦとＪＢが１つなった内側の握り部を低い状態（図３）か、握り部をＬ字形に上部に伸ばして高い構造にするかで、底面部の足元が踏ん張って置ける安定した足場を設けるかによって、立体そり上に座る・立てるのどちらも使用可能にしたものにすることができ、利用者に応じて各種サイズを設け、軽量化のものにする。【００２１】  図３は、立体そりの概略立体外形図例２であり、前記、【００１９】を満足すれば、この限りではない。【００２２】  図４は、立体そりの概略立体外形図例２の主要部拡大概略図で、小型スキー板ＢＢは小型スキー板加圧用金具Ｋを介して、小型スキー板連結用棒ＬＦ、ＬＢ、ワイヤー又はロープＭと立体そり本体ボード部のＪＦ・ＪＢ用サポートＮを通して、小型スキー板加圧用弾性金属棒ＪＦ、ＪＢの操作部と連動した構成である。図中の左側は小型スキー板への荷重と内エッジを立ててテール部を外側に押し出す前で、制動が掛かってない状態であり、図中の右側は小型スキー板への荷重と内エッジを立ててテール部を外側に押し出した時で、制動を掛けた状態を示している。ここで、ＬＦはほとんど移動しない固定式、ＬＢは移動する可動式になっており、Ｍの長さはＬＢの可動範囲によって適度なものにする。内部にあるＬＦ、ＬＢ、とＭは可動するので上部を覆う形のものにするのが安全上好ましい。又、ＫはＢＢへの荷重を内エッジにより大きく加圧、伝達するもので適度なものにする。Ｎはカタカナのノの字にことで、ＪＦとＪＢが１つなった内側の握り部を下にすることによって、ＢＢの内エッジに荷重が掛かり、テール部の開き出しをする機構になっている。更に、ＪＦ、ＪＢはてこの原理と弾性の力学を取り入れ、ＪＦ、ＪＢの各曲がり部を支点に作用点はＫ及びＢＢの内エッジになり、力点はＪＦ、ＪＢのが連結された握り部になる。ＪＦ���ＪＢの材質には適度な弾性がある金属を用いることにより、ＢＢへの荷重、内エッジを立ててテール部を外側に押し出しのプロセスを柔軟に実施できるようにしたものである。【００２３】  小型スキー板は通常はフラットな状態で雪面抵抗を受けないようにしておターンの始動時から荷重が掛かり内エッジを立てて、テール部が外へ開き出して、雪面抵抗を受けるようにする。、荷重、内エッジの立て、テール部の開き出しの具合によって、雪面抵抗を調整することで立体そり本体のターン弧の大きさを変化させることができるようにすることが目的であり、立体そりの物としては図１と図３の物を統合するようにした物が理想に近い物と考える。【００２４】  図５は、立体そりの概略立体外形図例３とその側面概略図で、立体そり本体ＡＣの底面部において、立体そりの長い方の縦に全体のたわみＰＡを作り、たわみは両サイドとセンター部に設置することで、たわみ効果が適正になるようにして、底面部滑走面の抵抗力も小さくでき、適度なフレックス、レスポンスと両サイドのサイドカーブは直線ＰＡのものを外側のみのエッジにしたものを作り、適度なトーションをそれぞれ保有するようにし、底面部に足元を踏ん張って置けるようにする幾多の安定した足場Ｑと先端部に取っ手ＯＡを設けて、立体そり上に座る・立てるのどちらも使用可能にし、転倒、滑落時に立体そりの暴走を抑制するために、すべり止めロープ・ベルトＲを取り付け、プレーヤーとつないだ状態で滑走するようにしたものである。その他、持ち運びやすくするため、運搬用ベルトＳを装着する。又、利用者に応じて各種サイズ（縦幅・横幅・高さ幅）を設け、特に、高さ幅・横幅は安定性の許せる範囲内、軽量化、及び、本発明の技術的思想とするマテリアルを提供することからも、できるだけ小さくしたいものである。【００２５】  図５は、立体そりの底面に自由に置ける安定足場を有して、底面にたわみとサイドカーブを融合化し、立体そりへの荷重と両サイドの外側の外エッジを内エッジとする角づけをする。たわみ効果はプレーヤー体重を立体そりに乗せる荷重することから生まれ、ターン運動を容易にすることができる。又、立体そりへの荷重と内エッジを立てる角づけ統合が立体そりの横方向への落下運動を生起させることになり、身体運動をすることによって、コントロールされる立体そりの物理運動が回転運動を作るようにしたものである。この場合、立体そりはスキッディングターンが可能である。【００２６】  図５は、立体そりの概略立体外形図例３とその側面概略図で、前記、【００２５】を満足すれば、この限りではない。【００２７】  図６は、立体そりの概略立体外形図例４とその側面概略図で、立体そり本体ＡＤ、ＡＥの底面部において、立体そりの長い方の縦に全体のたわみＰＢ、ＰＣを作り、たわみは両サイドとセンター部に設置することで、たわみ効果が適正になるようにして、底面部滑走面の抵抗力も小さくでき、適度なフレックス、レスポンスと両サイドのサイドカーブは曲線ＰＢ、ＰＣのものを外側のみのエッジにしたものを作り、適度なトーションをそれぞれ保有するようにし、底面部に足元を踏ん張って置けるようにする幾多の安定した足場Ｑと先端部に取っ手ＯＢ、ＯＣを設けて、立体そり上に座る・立てるのどちらも使用可能にし、転倒、滑落時に立体そりの暴走を抑制するために、すべり止めロープ・ベルトＲを取り付け、プレーヤーとつないだ状態で滑走するようにしたものである。その他、持ち運びやすくするため、運搬用ベルトＳを装着する。又、利用者に応じて各種サイズ（縦幅・横幅・高さ幅）を設け、特に、高さ幅・横幅は安定性の許せる範囲内、軽量化、及び、本発明の技術的思想とするマテリアルを提供することからも、できるだけ小さくしたいものである。【００２８】  図６は、立体そりの底面に自由に置ける安定足場を有して、底面にたわみとサイドカーブを融合化し、立体そりへの荷重と両サイドの外側の外エッジを内エッジとする角づけをする。たわみ効果はプレーヤー体重を立体そりに乗せる荷重することから生まれ、ターン運動を容易にすることができる。又、立体そりへの荷重と内エッジを立てる角づけ統合が立体そりの横方向への落下運動を生起させることになり、身体運動をすることによって、コントロールされる立体そりの物理運動が回転運動を作るようにしたものである。この場合、立体そりはスキッディングターン、カービングターンが可能である。【００２９】  図６は、立体そりの概略立体外形図例４とその側面概略図で、前記、【００２８】を満足すれば、この限りではない。
【産業上の利用可能性】
【００３０】  本発明に係る回転要素を備えた立体そりは、工業的に量産する事が可能であるため、産業上の利用可能性を有する。
【図面の簡単な説明】
【００３１】
【図１】    立体そりの概略立体外形図例１
【図２】    立体そりの概略立体外形図例１の主要部拡大概略図
【図３】    立体そりの概略立体外形図例２
【図４】    立体そりの概略立体外形図例２の主要部拡大概略図
【図５】    立体そりの概略立体外形図例３とその側面概略図
【図６】    立体そりの概略立体外形図例４とその側面概略図
【符号の説明】
【００３２】図中の文字、数字は次の通りである。
ＡＡ  ：立体そり本体                  ＢＡ  ：小型スキー板
Ｃ    ：小型スキー板連動用ステップ    Ｄ    ：小型スキー板連動用ハンドル
ＥＦ  ：小型スキー板連結用棒（前）    ＥＢ  ：小型スキー板連結用棒（後）
Ｆ    ：ハンドル用サポート            Ｇ    ：巻き取り用ローラー
Ｈ    ：ワイヤー                      Ｉ    ：ステップ移動用傾斜台
Ｂ１  ：制動が無のＢＡの元の位置      Ｂ２  ：制動が有のＢＡの移動位置
Ｃ１  ：制動が無のＣの元の位置        Ｃ２  ：制動が有のＣの移動位置
Ｄ１  ：制動が無のＤの元の位置        Ｄ２  ：制動が有のＤの移動位置
ＡＢ  ：立体そり本体                  ＢＢ  ：小型スキー板
ＪＦ  ：小型スキー板加圧用弾性金属棒  ＪＢ  ：小型スキー板加圧用弾性金属棒
Ｋ    ：小型スキー板加圧用金具
ＬＦ  ：小型スキー板連結用棒（固定）  ＬＢ  ：小型スキー板連結用棒（可動）
Ｍ    ：ワイヤー又はロープ            Ｎ    ：ＪＦ・ＪＢ用サポート
ＡＣ  ：立体そり本体
ＯＡ  ：取っ手                        ＰＡ  ：たわみ・サイドカーブ
ＡＤ  ：立体そり本体                  ＡＥ  ：立体そり本体
ＯＢ  ：取っ手                        ＯＣ  ：取っ手
ＰＢ  ：たわみ・サイドカーブ          ＰＣ  ：たわみ・サイドカーブ
Ｑ    ：座と足場
Ｒ    ：すべり止めロープ・ベルト      Ｓ    ：運搬用ベルト
【図１】
2006346409.tif 000003
【図２】
2006346409.tif 000004
【図３】
2006346409.tif 000005
【図４】
2006346409.tif 000006
【図５】
2006346409.tif 000007
【図６】
2006346409.tif 000008